(57)【要約】【課題】エンジン始動時の応答性を確保しつつ、蓄電素子が過電圧になることを抑制する。【解決手段】エンジン始動用の蓄電装置であって、蓄電素子３１と、前記蓄電素子３１への第１通電経路Ｌ１に設けられた第１スイッチＱ１と、前記蓄電素子３１への第２通電経路Ｌ２に設けられた降圧回路３５と、制御部７０と、を含み、前記制御部７０は、エンジン始動時、前記第１スイッチＱ１をオンして、前記第１通電経路Ｌ１により放電し、車両発電機の出力電圧Ｖｓが設定電圧Ｖｔより高い場合、前記第１スイッチＱ１をオフして前記第２通電経路Ｌ２を選択し、前記車両発電機の出力電圧Ｖｓを前記降圧回路３５により降圧して充電する。【選択図】図４
2018023258.tif 000002
【特許請求の範囲】
【請求項１】
エンジン始動用の蓄電装置であって、
蓄電素子と、
前記蓄電素子への第１通電経路に設けられた第１スイッチと、
前記蓄電素子への第２通電経路に設けられた降圧回路と、
制御部と、を含み、
前記制御部は、
エンジン始動時、前記第１スイッチをオンして、前記第１通電経路により放電し、
車両発電機の出力電圧が設定電圧より高い場合、前記第１スイッチをオフして前記第２通電経路を選択し、前記車両発電機の出力電圧を前記降圧回路により降圧して充電する、エンジン始動用の蓄電装置。
【請求項２】
請求項１に記載のエンジン始動用の蓄電装置であって、
前記降圧回路は、
前記第２通電経路に配置された第２スイッチと、
前記第２通電経路に配置され、前記第２スイッチに一端を接続し、前記蓄電素子の正極側に他端を接続したリアクトルと、
前記第２スイッチと前記リアクトルの中間接続点にカソードを接続し、前記蓄電素子の負極側にアノードを接続した還流ダイオードと、を含む、降圧チョッパである、エンジン始動用の蓄電装置。
【請求項３】
請求項１又は請求項２に記載のエンジン始動用の蓄電装置であって、
前記車両発電機の出力電圧を検出する検出部を備える、エンジン始動用の蓄電装置。
【請求項４】
請求項３に記載のエンジン始動用の蓄電装置であって、
前記車両発電機が接続される外部端子を有し、
前記検出部は、前記車両発電機の出力電圧として、前記外部端子の電圧を検出する、エンジン始動用の蓄電装置。
【請求項５】
請求項１〜請求項４のいずれか一項に記載のエンジン始動用の蓄電装置であって、
前記降圧回路は、前記車両発電機の出力電圧を、前記設定電圧以下の適正値に降圧する、エンジン始動用の蓄電装置。
【請求項６】
請求項１〜請求項５のいずれか一項に記載のエンジン始動用の蓄電装置であって、
前記蓄電素子を直列に複数備え、
前記複数の蓄電素子と並列に接続され、前記蓄電素子を放電する複数の放電回路を備え、
前記制御部は、
前記蓄電素子の充電中に、前記放電回路を動作させて前記蓄電素子の電圧を均等化する、エンジン始動用の蓄電装置。
【請求項７】
請求項１〜請求項６のいずれか一項に記載のエンジン始動用の蓄電装置であって、
前記第１スイッチは、放電方向を順方向とする寄生ダイオードを有する、ＦＥＴである、エンジン始動用の蓄電装置。
【請求項８】
請求項１〜請求項７のいずれか一項に記載のエンジン始動用の蓄電装置であって、
前記蓄電素子はリン酸鉄系のリチウムイオン二次電池である、エンジン始動用の蓄電装置。
【請求項９】
エンジン始動用の蓄電装置の制御方法であって、
エンジン始動時は、降圧回路を有する第２通電経路より応答性の高い第１通電経路により放電し、
車両発電機の出力電圧が設定電圧より高い場合、前記第２通電経路を選択し、車両発電機の出力電圧を前記降圧回路により降圧して充電する、エンジン始動用の蓄電装置の制御方法。
【請求項１０】
エンジン始動装置と、
請求項１〜請求項８のいずれか一項に記載の蓄電装置と、
前記蓄電素子の外部端子に接続された前記車両発電機と、を備えた車両。
【発明の詳細な説明】
【技術分野】
【０００１】
本発明は、エンジン始動用の蓄電装置に関する。
【背景技術】
【０００２】
エンジン始動用の蓄電装置は、エンジン始動時に瞬間的に大きなクランキング電流を流す必要があることから、瞬間的に大電流が供給できるように、出力の応答性が高いことが必要とされる。また、エンジン始動用の蓄電装置は、車両走行中にオルタネータにより充電される構成となっている。なお、エンジン始動用の蓄電装置に関連する文献としては、例えば、下記文献がある。
【先行技術文献】
【特許文献】
【０００３】
【特許文献１】特開２０１３−２０１８８８号公報
【発明の概要】
【発明が解決しようとする課題】
【０００４】
バッテリが適正な充電電圧よりも高い電圧で充電されると、蓄電装置は過充電となる。蓄電装置の過充電を抑制するには、蓄電装置の内部に降圧回路を設けて、充電電圧を適正値に調整することが考えられる。しかしながら、エンジン始動用の蓄電装置は、瞬間的に大電流が供給できるように、出力の応答性が高いことが必要であることから、エンジン始動時の応答性を確保しつつ、蓄電装置が過電圧になることを抑制することが求められていた。
【０００５】
本発明は上記のような事情に基づいて完成されたものであって、エンジン始動時の応答性を確保しつつ、蓄電装置が過電圧になることを抑制することを目的とする。
【課題を解決するための手段】
【０００６】
本明細書により開示されるエンジン始動用の蓄電装置は、蓄電素子と、前記蓄電素子への第１通電経路に設けられた第１スイッチと、前記蓄電素子への第２通電経路に設けられた降圧回路と、制御部と、を含み、前記制御部は、エンジン始動時、前記第１スイッチをオンして前記第１通電経路により放電し、前記車両発電機の出力電圧が設定電圧より高い場合、前記第１スイッチをオフして前記第２通電経路を選択し、前記車両発電機の出力電圧を前記降圧回路により降圧して充電する。尚、設定電圧は、蓄電装置の適正な充電電圧の上限値である。
【０００７】
本明細書により開示されるエンジン始動用の蓄電装置の制御方法は、エンジン始動時は、降圧回路を有する第２通電経路より応答性の高い第１通電経路により放電し、車両発電機の出力電圧が設定電圧より高い場合、前記第２通電経路を選択し、車両発電機の出力電圧を前記降圧回路により降圧して充電する。
【発明の効果】
【０００８】
本明細書により開示されるエンジン始動用の蓄電装置によれば、エンジン始動時の応答性を確保しつつ、蓄電装置が過電圧になることを抑制することができる。
【図面の簡単な説明】
【０００９】
【図１】実施形態１に適用された車両の側面図
【図２】バッテリの斜視図
【図３】バッテリの分解斜視図
【図４】バッテリの回路図
【図５】二次電池のＳＯＣ−ＯＣＶ特性を示すグラフ
【図６】放電回路の回路図
【図７】充電電圧の切換処理の流れを示すフローチャート図
【図８】半導体スイッチＱ１、Ｑ２の切り換えパターンをまとめた図表
【図９】バッテリの比較例を示す回路図
【発明を実施するための形態】
【００１０】
初めに、本実施形態にて開示するエンジン始動用の蓄電装置の概要について説明する。
エンジン始動用の蓄電装置は、蓄電素子と、前記蓄電素子への第１通電経路に設けられた第１スイッチと、前記蓄電素子への第２通電経路に設けられた降圧回路と、制御部と、を含み、前記制御部は、エンジン始動時、前記第１スイッチをオンして前記第１通電経路により放電し、前記車両発電機の出力電圧が設定電圧より高い場合、前記第１スイッチをオフして前記第２通電経路を選択し、前記車両発電機の出力電圧を前記降圧回路により降圧して充電する。この構成では、エンジン始動時は第１通電経路を選択するため、応答性が高く、瞬間的に大電流を放電することができる。また、充電時、車両発電機の出力電圧が設定電圧より高い場合、出力電圧を降圧するため、蓄電装置が過電圧になることを抑制することができる。
【００１１】
また、本実施形態にて開示するエンジン始動用の蓄電装置の一実施態様として、前記降圧回路は、前記第２通電経路に配置された第２スイッチと、前記第２通電経路に配置され、前記第２スイッチに一端を接続し、前記蓄電素子の正極側に他端を接続したリアクトルと、前記第２スイッチと前記リアクトルの中間接続点にカソードを接続し、前記蓄電素子の負極側にアノードを接続した還流ダイオードと、を含む、降圧チョッパである。この構成では、第２スイッチのデューティ比を切り換えることにより、降圧回路の出力電圧を多段階で調整することが可能であることから、充電電圧を適正な電圧に調整することができる。
【００１２】
また、本実施形態にて開示するエンジン始動用の蓄電装置の一実施態様として、前記車両発電機の出力電圧を検出する検出部を備える。この構成では、バッテリ側で車両発電機の出力電圧が検出できる。そのため、例えば、バッテリと通信できない仕様の車両にバッテリが搭載されている場合でも、バッテリ単独で充電電圧を適正な電圧に調整することができる。
【００１３】
また、本実施形態にて開示するエンジン始動用の蓄電装置の一実施態様として、前記車両発電機が接続される外部端子を有し、前記検出部は、前記車両発電機の出力電圧として、前記外部端子の電圧を検出する。この構成によると、簡易な構成で車両発電機の出力電圧を検出できる。
【００１４】
また、本実施形態にて開示するエンジン始動用の蓄電装置の一実施態様として、前記降圧回路は、前記車両発電機の出力電圧を、前記設定電圧以下の適正値に降圧する。この構成によると、車両発電機の出力電圧が設定電圧より高くても、蓄電素子を設定電圧以下の適正値で充電することが可能である。
【００１５】
また、本実施形態にて開示するエンジン始動用の蓄電装置の一実施態様として、前記蓄電素子を直列に複数備え、前記複数の蓄電素子と並列に接続され、前記蓄電素子を放電する複数の放電回路を備え、前記制御部は、前記蓄電素子の充電中に、前記放電回路を動作させて前記蓄電素子の電圧を均等化する。この構成では、蓄電素子の電圧を均等化出来る。そのため、電圧のばらつきにより、特定の蓄電素子が過電圧になることを抑制できる。
【００１６】
また、本実施形態にて開示するエンジン始動用の蓄電装置の一実施態様として、前記第１スイッチは、放電方向を順方向とする寄生ダイオードを有する、ＦＥＴである。この構成では、ＦＥＴをオフすることで、充電のみ遮断し、放電は継続することが出来る。
【００１７】
また、前記蓄電素子はリン酸鉄系のリチウムイオン二次電池である。リン酸鉄系のリチウムイオン二次電池は充電末期に電圧が上昇し易く、過電圧になり易い。本技術を適用することにより、リチウムイオン二次電池が過充電になることを抑制することができ、電池の安全性を確保できる。
【００１８】
＜一実施形態＞
本発明の一実施形態を図１〜図９によって説明する。
１．バッテリの説明
図１は車両の側面図、図２はバッテリの斜視図、図３はバッテリの分解斜視図である。
車両１は、図１に示すように、エンジン始動装置１０、オルタネータ１５、バッテリ２０を備えている。尚、バッテリ２０が本発明の「蓄電装置」に相当し、オルタネータが本発明の「車両発電機」に相当する。
【００１９】
バッテリ２０は、図２に示すように、ブロック状の電池ケース２１を有しており、電池ケース２１内には、複数の二次電池３１からなる組電池３０や回路基板２８が収容されている。尚、以下の説明において、図２および図３を参照する場合、電池ケース２１が設置面に対して傾きなく水平に置かれた時の電池ケース２１の上下方向をＹ方向とし、電池ケース２１の長辺方向に沿う方向をＸ方向とし、電池ケース２１の奥行き方向をＺ方向をとして説明する。
【００２０】
電池ケース２１は、図３に示すように、上方に開口する箱型のケース本体２３と、複数の二次電池３１を位置決めする位置決め部材２４と、ケース本体２３の上部に装着される中蓋２５と、中蓋２５の上部に装着される上蓋２６とを備えて構成されている。ケース本体２３内には、図３に示すように、各二次電池３１が個別に収容される複数のセル室２３ＡがＸ方向に並んで設けられている。
【００２１】
位置決め部材２４は、図３に示すように、複数のバスバー２７が上面に配置されており、位置決め部材２４がケース本体２３内に配置された複数の二次電池３１の上部に配置されることで、複数の二次電池３１が、位置決めされると共に複数のバスバー２７によって直列に接続されるようになっている。
【００２２】
中蓋２５は、図２に示すように、平面視略矩形状をなし、Ｙ方向に高低差を付けた形状とされている。中蓋２５のＸ方向両端部には、図示しないハーネス端子が接続される一対の端子２２Ｐ、２２Ｎが設けられている。一対の端子２２Ｐ、２２Ｎは、例えば、鉛合金等の金属からなり、２２Ｐが正極端子、２２Ｎが負極端子である。尚、正極端子２２Ｐ、負極端子２２Ｎが本発明の「外部端子」の一例である。
【００２３】
また、中蓋２５は、図３に示すように、回路基板２８が内部に収容可能とされており、中蓋２５がケース本体２３に装着されることで、二次電池３１と回路基板２８とが接続されるようになっている。
【００２４】
２．バッテリ２０の電気的構成
バッテリ２０はエンジン始動用であり、図４に示すように、外部端子である正極端子２２Ｐ、負極端子２２Ｎを介して、エンジン始動装置１０、オルタネータ１５が電気的に接続されている。バッテリ２０は、図４に示すように、組電池３０と、半導体スイッチＱ１と、降圧回路３５と、管理装置５０とを有する。また、バッテリ２０は、正極端子２２Ｐと組電池３０の正極を接続する通電経路として、第１通電経路Ｌ１と第２通電経路Ｌ２を有している。
【００２５】
半導体スイッチＱ１は第１通電経路Ｌ１上に設けられている。半導体スイッチＱ１は、ＮチャンネルのＦＥＴ（電界効果トランジスタ）である。半導体スイッチＱ１は、ドレンを正極端子２２Ｐに接続し、ソースを組電池３０の正極に接続している。半導体スイッチＱ１のゲートには、ドライバ４７が接続されている。ドライバ４７には、制御部７０からの制御信号が入力される構成になっており、半導体スイッチＱ１は、制御部７０からの指令（制御信号）に応答して、第１通電経路Ｌ１を開閉する機能を果たす。
【００２６】
また、半導体スイッチＱ１は寄生ダイオード３７を有している。寄生ダイオード３７は、組電池３０の放電方向が順方向となっており、半導体スイッチＱ１を、オフを保持する状態に制御した場合でも、寄生ダイオード３７を通じて放電できるようになっている。尚、半導体スイッチＱ１が本発明の「第１スイッチ」の一例である。
【００２７】
降圧回路３５は、第２通電経路Ｌ２上に設けられている。降圧回路３５は、降圧チョッパであり、半導体スイッチＱ２と、リアクトルＲｅと、還流ダイオードＤを備えている。半導体スイッチＱ２は、ＮチャンネルのＦＥＴ（電界効果トランジスタ）である。半導体スイッチＱ２は、第２通電経路Ｌ２上に配置されており、ドレンを正極端子２２Ｐに接続し、ソースをリアクトルＲｅに接続している。半導体スイッチＱ２のゲートには、ドライバ４８が接続されている。ドライバ４８には、制御部７０からの制御信号が入力される構成になっており、半導体スイッチＱ２は、制御部７０からの指令（制御信号）に応答して、第２通電経路Ｌ２を開閉する機能を果たす。尚、半導体スイッチＱ２が本発明の「第２スイッチ」の一例である。
【００２８】
リアクトルＲｅは、第２通電経路Ｌ２上に配置されており、一端を半導体スイッチＱ２のソースに接続し、他端を組電池３０の正極に接続している。還流ダイオードＤは、半導体スイッチＱ２とリアクトルＲｅの中間接続点にカソードを接続し、アノードをグランドラインＬ３に接続している。
【００２９】
降圧回路３５は、半導体スイッチＱ２を所定周期でスイッチングすることで、オルタネータ１５の出力電圧（充電電圧）を降圧する機能を果たす。具体的には、半導体スイッチＱ２をオンすると、第２通電経路Ｌ２でリアクトルＲｅに電流が流れ、リアクトルＲｅは磁気エネルギーを蓄える。そして、半導体スイッチＱ２がオフに切り換わると、リアクトルＲｅは、還流ダイオードＤを経由して、蓄えた磁気エネルギーを放出する。このような動作を周期的に繰り返すことにより、電圧を降圧するものである。
【００３０】
また、半導体スイッチＱ２のデューティ比Ｄｙを切り換えることで、降圧回路３５の出力電圧（降圧量）を調整することができる。
【００３１】
組電池３０は、直列接続された複数（本例では４つ）のリチウムイオン二次電池（本発明の「蓄電素子」の一例）３１から構成されている。二次電池３１は、例えば、正極活物質にリン酸鉄リチウム(LiFePO4)、負極活物質にカーボン（グラファイト）を用いたリン酸鉄系のリチウムイオン二次電池とされる。
【００３２】
尚、「リン酸鉄系」のリチウムイオン二次電池とは、正極活物質にリン酸鉄リチウム(LiFePO4)を用いたリチウムイオン二次電池であり、負極活物質はカーボン以外に、例えば、チタン酸リチウムやシリコンでもよい。図５にリン酸鉄系のリチウムイオン二次電池３１のＳＯＣ−ＯＣＶ相関特性を示す。
【００３３】
リン酸鉄系のリチウムイオン二次電池３１は、図５に示すように、ＳＯＣの変化量に対するＯＣＶの変化量が相対的に低い低変化領域と、相対的に高い高変化領域とを有している。具体的には、ＳＯＣが１０％未満である充電初期（放電末期）は、ＳＯＣの変化量に対してＯＣＶが急激に変化する高変化領域である。また、ＳＯＣが９０％以上である充電末期（図５に示す立ち上がり領域Ｆ）も、ＳＯＣの変化量に対してＯＣＶが急激に変化する高変化領域である。また、ＳＯＣが１０％以上、９０％未満である充電中期（放電中期）には、ＳＯＣに対してＯＣＶが略一定である平坦領域（プラトー領域）である。尚、ＳＯＣ（State of charge）は充電状態を意味し、ＯＣＶ（Open Circuit Voltage）は開放電圧を意味する。
【００３４】
また、バッテリ２０は、図４に示すように、電流検出抵抗４１と、温度センサ４３と、放電回路４５を有している。
【００３５】
電流検出抵抗４１は、組電池３０の負極側に設けられており、二次電池３１に流れる電流を検出する機能を果たす。また、温度センサ４３は接触式あるいは非接触式で、二次電池３１の温度［℃］を測定する機能を果たす。
【００３６】
電流検出抵抗４１と温度センサ４３は、信号線によって、管理装置５０に電気的に接続されており、電流検出抵抗４１や温度センサ４３の検出値は、管理装置５０に取り込まれる構成になっている。
【００３７】
放電回路４５は、各二次電池３１に設けられている。放電回路４５は、図６に示すように、放電抵抗Ｒと放電スイッチＳＷとを備え、二次電池３１に対して並列に接続されている。制御部７０から指令を与えて、放電スイッチＳＷをオンすることで二次電池３１を個別に放電することが出来る。
【００３８】
管理装置５０は、バッテリ２０を管理する装置であり、第１電圧検出部６１と、第２電圧検出部６５と、制御部７０とを備えている。第１電圧検出部６１は、検出ラインを介して、各二次電池３１の両端にそれぞれ接続され、各二次電池３１の電圧及び組電池３０の総電圧を測定する機能を果たす。
【００３９】
第２電圧検出部６５は、検出ラインを介して正極端子２２Ｐと負極端子２２Ｎに接続されており、端子間電圧Ｖｓを測定することにより、オルタネータ１５の出力電圧Ｖｓを検出する機能を果たす。尚、第２電圧検出部６５が本発明の「検出部」の一例である。
【００４０】
制御部７０は、中央処理装置であるＣＰＵ７１と、メモリ７３とを含む。ＣＰＵ７１は、電流検出抵抗４１、第１電圧検出部６１、温度センサ４３の出力から、二次電池３１の電流、電圧、温度を監視するとともに、第２電圧検出部６５の出力からオルタネータ１５の出力電圧を監視する。メモリ７３には、バッテリ２０を監視するための情報や、後述する充電電圧の切換制御や二次電池の均等化処理を行うためのデータなどが記憶されている。
【００４１】
管理装置５０、半導体スイッチＱ１、降圧回路３５は、放電回路４５、電流検出抵抗４１は、回路基板２８に搭載されており、バッテリ２０の内部に設けられている。また、温度センサ４３も、バッテリ２０の内部に設けられている。
【００４２】
３．充電電圧の切換制御
本実施形態では、組電池３０の総電圧の充電目標電圧は１４．４Ｖであり、組電池３０はオルタネータ１５により、充電目標電圧に充電される。しかし、例えば、オルタネータ１５の異常等の要因により、バッテリ２０を充電する際の充電電圧の適正値の上限である設定電圧Ｖｔ（一例として、１５．５Ｖ）よりも高い電圧で充電が行われると、バッテリ２０が過電圧になる恐れがある。そのため、制御部７０は充電開始後、以下に説明する、充電電圧の切換制御（図７）を実行する。
【００４３】
制御部７０は、電流検出抵抗４１が検出する電流値の極性から、バッテリ２０が充電状態か、放電状態かを判断することができる。そして、バッテリ２０が充電状態であることを検出すると、制御部７０は、第２電圧検出部６５により端子間電圧Ｖｓを計測して、オルタネータ１５の出力電圧Ｖｓを検出する（Ｓ１０）。次に、制御部７０は、オルタネータ１５の出力電圧Ｖｓを、予め定められた設定電圧Ｖｔと比較する処理を行う（Ｓ２０）。
【００４４】
そして、オルタネータ１５の出力電圧Ｖｓが設定電圧Ｖｔ以下の場合、制御部７０は、図８に示す通常モードを選択し、半導体スイッチＱ１はオンを保持した状態（デューティ比１００％を保持）、降圧回路３５の半導体スイッチＱ２はオフを保持した状態（デューティ比０％を保持）に制御する。これにより、第１通電経路Ｌ１側のみ通電可能になることから、バッテリ２０はオルタネータ１５の出力電圧Ｖｓで充電される。
【００４５】
一方、オルタネータ１５の出力電圧Ｖｓが設定電圧Ｖｔより高い場合、制御部７０は、図８に示す降圧モードを選択し、半導体スイッチＱ１を、オンを保持した状態からオフを保持する状態に切り換える。
【００４６】
これにより、第１通電経路Ｌ１は遮断される。また、制御部７０は、降圧回路３５の半導体スイッチＱ２を、オフを保持した状態から、所定周期でオンオフを繰り返すスイッチング制御に切り換える（Ｓ４０）。これにより、第２通電経路Ｌ２側が通電可能となり、オルタネータ１５の出力電圧Ｖｓを、降圧回路３５で降圧して、バッテリ２０を充電することができる。
【００４７】
このようにすることで、バッテリ２０の充電電圧を下げることができ、バッテリ２０が過電圧になることを抑制することができる。
【００４８】
尚、本例では、半導体スイッチＱ２のスイッチング周波数は１００Ｈｚ〜数ｋＨｚであり、オンを保持するとは、半導体スイッチＱ２のスイッチング周期よりも長い時間（例えば、少なくとも数周期以上）、半導体スイッチＱ１、Ｑ２をデューティ比１００％の状態に保持していることを意味する。また、「オフを保持」も同様に、スイッチング周期より長い時間（例えば、少なくとも数周期以上）、デューティ比Ｄｙが０％の状態に保持されていることを意味する。
【００４９】
また、降圧回路３５の出力電圧Ｖｏは、オルタネータ１５の出力電圧Ｖｓと、半導体スイッチＱ２のデューティ比Ｄｙにより定まる。そのため、降圧後の出力電圧Ｖｏが設定電圧Ｖｔ以下の適正値（充電に適正な電圧であり、一例として１５Ｖ）になるように、制御部７１にて半導体スイッチＱ１のデューティ比Ｄｙを決定することが好ましい。
【００５０】
Ｄｙ＝Ｔｏｎ／（Ｔｏｎ＋Ｔｏｆｆ）・・・・（１）式
Ｔｏｎは、半導体スイッチＱ２のオン時間、Ｔｏｆｆは半導体スイッチＱ２のオフ時間である。
【００５１】
また、制御部７０は充電中、電流検出抵抗４１の検出値から、電流がほぼ流れていない状態が所定時間継続すると、充電終了と判断し、半導体スイッチＱ１、Ｑ２の制御パターンを、図８に示す通常モードに戻す処理を行う。
【００５２】
４．エンジン始動時の応答性
制御部７１は、放電時は通常モードを維持し、バッテリ２０は第１通電経路Ｌ１で放電する。第１通電経路Ｌ１上には、半導体スイッチＱ１しか設けられておらず、過渡的な電流に対して大きな負荷となるリアクトル等の素子が配置されていない。そのため、瞬間的に大電流を供給することが可能であり、第２通電経路Ｌ２に比べて、出力の応答性が格段に高い。従って、エンジン始動時に、短時間で必要な大きさのクランキング電流を供給することが可能であり、エンジン始動不良が発生することを抑制できる。
【００５３】
図９は、バッテリ２０の比較例を示す回路図である。図９に示すバッテリ１２０は、半導体スイッチＱ３をオンに保持した状態で、半導体スイッチＱ４をスイッチング制御することにより、オルタネータ１５の出力電圧Ｖｓを降圧することができる。しかしながら、通電経路Ｌ４を１ラインしか持たず、その経路Ｌ４上にリアクトルＲｅを設けている。リアクトルＲｅは過渡的な電流に対して大きな負荷となるので、図９に示す回路構成では、瞬間的な大電流を供給することは困難であり、エンジン始動用としては不向きである。
【００５４】
また、バッテリ２０の第２電流経路Ｌ２も同様に、リアクトルＲｅが設けられていることから、第１電流経路Ｌ１に比べて出力の応答性が低く、瞬間的な大電流を供給するには不向きである。
【００５５】
５．放電回路４５による電圧均等化処理
また、制御部７０は充電開始後、第１電圧検出部６１により計測される各二次電池３１の電圧を、閾値（一例として３．５Ｖ）と比較する。そして、閾値を上回る二次電池３１に対応する放電回路４５はすべて動作させ、閾値を上回る二次電池３１を抵抗放電させる。
【００５６】
これにより、電圧の高い二次電池３１は電圧が下がることから、各二次電池３１の電圧を均等化することができる。従って、充電中、電圧のばらつきにより、特定の二次電池３１の電圧が上昇して過電圧になることを抑制することができる。
【００５７】
尚、本実施形態では、組電池３０の充電目標電圧は「１４．４Ｖ」であり、それをセル数で割った電圧は「３．６Ｖ」である。また、均等化処理が実行される閾値は「３．５Ｖ」である。
【００５８】
そのため、組電池３０の電圧が目標充電電圧に近くなる充電末期では、放電回路４５による電圧均等化処理が実行される。従って、充電末期において、組電池３０を構成する各二次電池３１の電圧ばらつき抑えつつ、特定の二次電池３１が電圧上昇することができる。
充電末期は、電圧のばらつきが大きくなり易いが、その領域内で電圧均等化処理を行うことにより、二次電池３１の電圧ばらつき抑えることができることから、特定の二次電池３１が電圧上昇して、過電圧になることを抑制できる。
【００５９】
６．効果説明
本実施形態では、エンジン始動時は第１通電経路Ｌ１で放電するため、瞬間的に大電流を放電することができる。また、オルタネータ１５の出力電圧Ｖｓが予め定めされた設定電圧Ｖｔより高い場合、第２通電経路Ｌ２に切り換えて降圧回路３５で出力電圧Ｖｓを降圧して充電を行う。そのため、エンジン始動時の応答性を確保しつつ、バッテリ２０が過電圧になることを抑制することができる。
【００６０】
また、バッテリ２０は、降圧回路３５を内蔵し、オルタネータ１５の出力電圧Ｖｓを自ら検出する。従って、バッテリ２０との通信機能を持たない車両に、バッテリ２０が搭載されても、オルタネータ１５の出力電圧Ｖｓが設定電圧Ｖｔよりも高い場合には、バッテリ単独で出力電圧Ｖｓを降圧することができ、バッテリ２０が過電圧になることを抑制できる。
【００６１】
＜他の実施形態＞
本発明は上記記述及び図面によって説明した実施形態に限定されるものではなく、例えば次のような実施形態も本発明の技術的範囲に含まれる。
【００６２】
（１）上記実施形態では、バッテリ２０を自動車に搭載したが、これ以外にも、例えば、自動二輪に搭載してもよい。すなわち、エンジンで駆動する車両であれば、本技術の適用が可能である。
【００６３】
（２）上記実施形態では、第１スイッチの一例として、半導体スイッチＱ１を用いた例を示したが、半導体スイッチＱ１に変えてリレーを用いてもよい。また、半導体スイッチを用いる場合でも、パワートランジスタなど、ＦＥＴ以外の素子を用いるようにしてもよい。また、第２スイッチも同様である。
【００６４】
（３）上記実施形態では、蓄電素子の一例として、リン酸鉄のリチウムイオン二次電池３１を例示したが、例えば、３元系のリチウムイオン二次電池に対しても適用することが出来る。尚、３元系のリチウムイオン二次電池は、正極活物質にＣｏ，Ｍｎ、Ｎｉの元素を含有したリチウム含有金属酸化物を用い、負極活物質はグラファイトやカーボン等を用いた電池である。また、蓄電素子は、鉛蓄電池など他の二次電池や、キャパシタであってもよい。
【００６５】
（４）上記実施形態では、放電回路４５を設けた例を示したが、放電回路４５を設けない回路構成とすることができる。また、蓄電素子を複数直列に接続した例を示したが、蓄電素子は１つでもよい。
【００６６】
（５）上記実施形態では、降圧モードから通常モードへの切り換えを、充電終了を検出して行ったが、少なくとも、エンジン始動時に通常モードが選択されていればよく、例えば、イグニッションスイッチのオン動作を検出して、モードの切り換えを行うことも可能である。
【００６７】
（６）上記実施形態では、オルタネータ１５の出力電圧Ｖｓを、バッテリ２０に内蔵した第２電圧検出部６５により検出した例を示したが、バッテリと車両間で通信ができる場合、オルタネータ１５の出力電圧Ｖｓの情報を車両から通信で得るようにしてもよい。また、その場合、第２電圧検出部６５は廃止することができる。
【符号の説明】
【００６８】
１...車両
１０...エンジン始動装置
１５...オルタネータ（本発明の「車両発電機」の一例）
２０...バッテリ
２２Ｐ、２２Ｎ...正極端子、負極端子（本発明の「外部端子」の一例）
３０...組電池（本発明の「蓄電装置」の一例）
３１...二次電池（本発明の「蓄電素子」の一例）
３５...降圧回路
４１...電流検出抵抗
４５...放電回路
５０...管理装置
６１...第１電圧検出部
６５...第２電圧検出部（本発明の「検出部」の一例）
７０...制御部
Ｌ１...第１通電経路
Ｌ２...第２通電経路
Ｑ１...半導体スイッチ（本発明の「第１スイッチ」の一例）
Ｑ２...半導体スイッチ（本発明の「第２スイッチ」の一例）
Ｒｅ...リアクトル
Ｄ...還流ダイオード
【図１】
2018023258.tif 000003
【図２】
2018023258.tif 000004
【図３】
2018023258.tif 000005
【図４】
2018023258.tif 000006
【図５】
2018023258.tif 000007
【図６】
2018023258.tif 000008
【図７】
2018023258.tif 000009
【図８】
2018023258.tif 000010
【図９】
2018023258.tif 000011